(57)【要約】【課題】  高ズーム比で、光軸方向に小型化され、全ズーム領域において高い光学性能を有するズームレンズを得ること。【解決手段】  物体側より像側へ順に、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化し、第２レンズ群および第３レンズ群に樹脂レンズを含むズームレンズにおいて、第２レンズ群に含まれる樹脂レンズの焦点距離ｆ２ｐ、第３レンズ群に含まれる樹脂レンズの焦点距離ｆ３ｐ、望遠端における全系の焦点距離ｆｔを各々適切に設定する。【選択図】  図１
2014222336.tif 000002
【特許請求の範囲】
【請求項１】
物体側より像側へ順に、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化するズームレンズにおいて、
前記第２レンズ群および前記第３レンズ群は、それぞれ樹脂レンズを含み、
前記第２レンズ群に含まれる樹脂レンズの焦点距離をｆ２ｐ、前記第３レンズ群に含まれる樹脂レンズの焦点距離をｆ３ｐ、望遠端における全系の焦点距離をｆｔとしたとき、
０．１０＜｜ｆ３ｐ／ｆｔ｜＜０．２３
−２．４０＜ｆ２ｐ／ｆ３ｐ＜−０．３４
なる条件式を満足することを特徴とするズームレンズ。
【請求項２】
前記樹脂レンズは、物体側の面と像側の面がそれぞれ空気に接していることを特徴とする請求項１に記載のズームレンズ。
【請求項３】
前記第２レンズ群の焦点距離をｆ２としたとき、
−３０．０＜ｆｔ／ｆ２＜−５．０
なる条件式を満足することを特徴とする請求項１または２に記載のズームレンズ。
【請求項４】
前記第３レンズ群の焦点距離をｆ３としたとき、
３．０＜ｆｔ／ｆ３＜１５．０
なる条件式を満足することを特徴とする請求項１乃至３のいずれか１項に記載のズームレンズ。
【請求項５】
前記第２レンズ群に含まれる樹脂レンズの、ｄ線に対する屈折率をＮｄ２ｐ、アッベ数をνｄ２ｐ、前記第３レンズ群に含まれる樹脂レンズの、ｄ線に対する屈折率をＮｄ３ｐ、アッベ数をνｄ３ｐとしたとき、
１．４５＜Ｎｄ２ｐ＜２．５９×１０−４×νｄ２ｐ２−２．６４×１０−２×νｄ２ｐ＋２．２１３
νｄ２ｐ＜６０．０
１．４５＜Ｎｄ３ｐ＜２．５９×１０−４×νｄ３ｐ２−２．６４×１０−２×νｄ３ｐ＋２．２１３
νｄ３ｐ＜６０．０
なる条件式を満足することを特徴とする請求項１乃至４のいずれか１項に記載のズームレンズ。
【請求項６】
前記第２レンズ群に含まれる樹脂レンズと前記第３レンズ群に含まれる樹脂レンズの、２０℃における屈折率の温度係数をτとしたとき、
−５．０×１０−４／℃＜τ＜−５．０×１０−６／℃
なる条件式を満足することを特徴とする請求項１乃至５のいずれか１項に記載のズームレンズ。
【請求項７】
前記第２レンズ群に含まれる樹脂レンズと前記第３レンズ群に含まれる樹脂レンズの線膨張係数をαとしたとき、
１．０×１０−５／℃＜α＜１０．０×１０−５／℃
なる条件式を満足することを特徴とする請求項１乃至６のいずれか１項に記載のズームレンズ。
【請求項８】
前記第２レンズ群に含まれる樹脂レンズは正の屈折力を有し、前記第３レンズ群に含まれる樹脂レンズは負の屈折力を有することを特徴とする請求項１乃至７のいずれか１項に記載のズームレンズ。
【請求項９】
前記第２レンズ群に含まれる樹脂レンズは負の屈折力を有し、前記第３レンズ群に含まれる樹脂レンズは正の屈折力を有することを特徴とする請求項１乃至７のいずれか１項に記載のズームレンズ。
【請求項１０】
前記第２レンズ群に含まれる樹脂レンズの、ｄ線に対するアッベ数をνｄ２ｐとしたとき、
１５．０＜νｄ２ｐ＜３５．０
なる条件式を満足することを特徴とする請求項８に記載のズームレンズ。
【請求項１１】
前記第３レンズ群に含まれる樹脂レンズの、ｄ線に対するアッベ数をνｄ３ｐとしたとき、
１５．０＜νｄ３ｐ＜３５．０
なる条件式を満足することを特徴とする請求項８に記載のズームレンズ。
【請求項１２】
前記後群は、正の屈折力の第４レンズ群からなることを特徴とする請求項１乃至１１のいずれか１項に記載のズームレンズ。
【請求項１３】
前記後群は、負の屈折力の第４レンズ群と正の屈折力の第５レンズ群からなることを特徴とする請求項１乃至１１のいずれか１項に記載のズームレンズ。
【請求項１４】
前記後群は、正の屈折力の第４レンズ群と正の屈折力の第５レンズ群からなることを特徴とする請求項１乃至１１のいずれか１項に記載のズームレンズ。
【請求項１５】
固体撮像素子に像を形成することを特徴とする請求項１乃至１４のいずれか１項に記載のズームレンズ。
【請求項１６】
請求項１乃至１５のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズ及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
近年、固体撮像素子を用いたデジタルスチルカメラ、ビデオカメラ等の撮像装置は高機能化され、かつ装置全体が小型化されている。これらの装置に用いられるズームレンズは、レンズ全長が短く、高ズーム比であることが求められている。また、レンズの軽量化やコストの削減を図ることが要求されている。
【０００３】
レンズ全長が短く、高ズーム比のズームレンズとして、物体側から像側へ順に、正の屈折力の第１レンズ群、負の屈折力の第２レンズ群、正の屈折力の第３レンズ群、１以上のレンズ群を含む後群を有するポジティブリード型のズームレンズが知られている。また、レンズの軽量化やコストの削減を図るために、ガラス以外の物質、例えば樹脂材料を用いるズームレンズが知られている。
【０００４】
こうしたポジティブリード型のズームレンズとして、特許文献１に記載のズームレンズは、第２レンズ群の最も像側に非球面を有する樹脂レンズを用いている。また、特許文献２に記載のズームレンズは、第２レンズ群に正と負の屈折力を有する樹脂レンズを１枚ずつ用い、第４レンズ群に正と負の屈折力を有する樹脂レンズを１枚ずつ用いている。
【先行技術文献】
【特許文献】
【０００５】
【特許文献１】特開２０１０−１０２０９６号公報
【特許文献２】特開２００６−１７１６１５号公報
【発明の概要】
【発明が解決しようとする課題】
【０００６】
一般に、樹脂レンズはガラスレンズに比べて、温度変化に伴う屈折率の変化が大きく、膨張や収縮による形状変化の影響も大きい。これにより、温度変化に伴うピントズレや球面収差のズレ等が大きくなり、光学性能の低下を招きやすい。比較的少ない枚数のレンズにより構成されたポジティブリード型のズームレンズでは、各レンズ面の屈折力が強いため、全ズーム領域において、温度変化に伴う光学性能の低下が顕著に現れる。
【０００７】
特許文献１に記載のズームレンズでは、第２レンズ群中に屈折力の弱い樹脂レンズを用いている。しかし、レンズ全系において、１枚のレンズのみに樹脂材料を適用しているため、温度変化に伴うピントズレが大きく発生する。
【０００８】
特許文献２に記載のズームレンズでは、第２レンズ群中に負の屈折力を有する樹脂レンズと正の屈折力を有する樹脂レンズを用いている。ここで、一般に、ポジティブリード型のズームレンズにおいて第２レンズ群全体として、負の強い屈折力が求められる。よって、第２レンズ群に、ガラスレンズよりも屈折率が低い樹脂レンズを用いると、第２レンズ群を構成するレンズの曲率半径を短くする必要が生じる。そのため、レンズ全長が増大してしまう。
【０００９】
樹脂レンズを用い、小型かつ高ズーム比で、全ズーム領域において高い光学性能を有するズームレンズを得るためには、複数のレンズ群において樹脂レンズを用い、さらに各レンズの屈折力や樹脂レンズの配置を適切に設定することが重要である。
【００１０】
本発明は、高ズーム比で、光軸方向に小型化され、全ズーム領域において高い光学性能を有するズームレンズ及びそれを有する撮像装置を提供することを目的とする。
【課題を解決するための手段】
【００１１】
本発明のズームレンズは、物体側より像側へ順に、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化する。ここで、第２レンズ群および第３レンズ群は樹脂レンズを含み、第２レンズ群に含まれる樹脂レンズの焦点距離をｆ２ｐ、第３レンズ群に含まれる樹脂レンズの焦点距離をｆ３ｐ、望遠端における全系の焦点距離をｆｔとしたとき、
０．１０＜｜ｆ３ｐ／ｆｔ｜＜０．２３
−２．４０＜ｆ２ｐ／ｆ３ｐ＜−０．３４
なる条件式を満足することを特徴としている。
【発明の効果】
【００１２】
本発明によれば、高ズーム比で、光軸方向に小型化され、全ズーム領域において高い光学性能を有するズームレンズが得られる。
【図面の簡単な説明】
【００１３】
【図１】実施例１のズームレンズの広角端におけるレンズ断面図
【図２】（Ａ）、（Ｂ）、（Ｃ）実施例１のズームレンズの広角端、中間のズーム位置、望遠端における収差図
【図３】実施例２のズームレンズの広角端におけるレンズ断面図
【図４】（Ａ）、（Ｂ）、（Ｃ）実施例２のズームレンズの広角端、中間のズーム位置、望遠端における収差図
【図５】実施例３のズームレンズの広角端におけるレンズ断面図
【図６】（Ａ）、（Ｂ）、（Ｃ）実施例３のズームレンズの広角端、中間のズーム位置、望遠端における収差図
【図７】実施例４のズームレンズの広角端におけるレンズ断面図
【図８】（Ａ）、（Ｂ）、（Ｃ）実施例４のズームレンズの広角端、中間のズーム位置、望遠端における収差図
【図９】実施例５のズームレンズの広角端におけるレンズ断面図
【図１０】（Ａ）、（Ｂ）、（Ｃ）実施例５のズームレンズの広角端、中間のズーム位置、望遠端における収差図
【図１１】実施例６のズームレンズの広角端におけるレンズ断面図
【図１２】（Ａ）、（Ｂ）、（Ｃ）実施例６のズームレンズの広角端、中間のズーム位置、望遠端における収差図
【図１３】実施例７のズームレンズの広角端におけるレンズ断面図
【図１４】（Ａ）、（Ｂ）、（Ｃ）実施例７のズームレンズの広角端、中間のズーム位置、望遠端における収差図
【図１５】本発明の撮像装置の要部概略図
【発明を実施するための形態】
【００１４】
以下、本発明のズームレンズ及びそれを有する撮像装置について添付の図面に基づいて詳細に説明する。本発明のズームレンズは物体側より像側へ順に、正の屈折力の第１レンズ群、負の屈折力の第２レンズ群、正の屈折力の第３レンズ群、１以上のレンズ群を含む後群から構成される。
【００１５】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比１５．５７、開口比３．２０〜５．７０程度のズームレンズである。図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比１５．９５、開口比３．５１〜６．０８程度のズームレンズである。
【００１６】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比１５．８９、開口比３．２０〜５．８３程度のズームレンズである。図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比１６．７９、開口比３．２９〜６．０８程度のズームレンズである。
【００１７】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比７．７４、開口比３．０７〜７．０５程度のズームレンズである。図１１は実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比１９．９１、開口比３．１０〜７．４６程度のズームレンズである。
【００１８】
図１３は実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比２０．８２、開口比３．２２〜６．３６程度のズームレンズである。図１５は本発明のズームレンズを備えるデジタルスチルカメラ（撮像装置）の要部概略図である。各実施例のズームレンズはビデオカメラやデジタルスチルカメラ、銀塩フィルムカメラ、テレビカメラ等の撮像装置に用いられる撮像レンズ系である。また各実施例のズームレンズは投射装置（プロジェクタ）用の投射光学系としても用いることができる。レンズ断面図において左方が物体側（前方）で、右方が像側（後方）である。またレンズ断面図において、ｉを物体側から像側へのレンズ群の順番とするとＬｉは第ｉレンズ群を示す。
【００１９】
実施例１から５のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から成る。実施例１から５は４つのレンズ群から成るポジティブリード型の４群ズームレンズであり、後群は、正の屈折力の第４レンズ群Ｌ４からなる。
【００２０】
実施例６のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成される。実施例６は５つのレンズ群から成るポジティブリード型の５群ズームレンズであり、後群は、負の屈折力の第４レンズ群Ｌ４と正の屈折力の第５レンズ群Ｌ５からなる。実施例７のズームレンズは物体側より像側へ順に正の屈折力の第１レンズ群Ｌ１、負の屈折力の第２レンズ群Ｌ２、正の屈折力の第３レンズ群Ｌ３、正の屈折力の第４レンズ群Ｌ４、正の屈折力の第５レンズ群Ｌ５から成る。実施例７は５つのレンズ群から成るポジティブリード型の５群ズームレンズであり、後群は、正の屈折力の第４レンズ群Ｌ４と正の屈折力の第５レンズ群Ｌ５からなる。
【００２１】
各実施例において、ＳＰは開口絞りであり、第３レンズ群Ｌ３中に位置している。ＦＰはフレアカット絞りであり、実施例６、実施例７において第３レンズ群Ｌ３の像側に配置され、不要光を遮光している。
【００２２】
Ｇは光学フィルター、フェースプレート、ローパスフィルター、赤外カットフィルター等に相当する光学ブロックである。ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。
【００２３】
球面収差図においてＦｎｏはＦナンバーである。また実線はｄ線（波長５８７．６ｎｍ）、２点鎖線はｇ線（波長４３５．８ｎｍ）を示している。非点収差図において実線はｄ線におけるサジタル像面、点線はメリディオナル像面である。歪曲収差はｄ線について示している。倍率色収差図において２点鎖線はｇ線である。ωは撮像半画角である。なお以下の各実施例において広角端と望遠端はそれぞれ、機構上の制約の下、変倍用のレンズ群が光軸上を移動可能な範囲の両端に位置したときの各ズーム位置をいう。
【００２４】
また、各レンズ断面図において、ＰＬは樹脂レンズであることを表している。各実施例において、第２レンズ群Ｌ２中に樹脂レンズＬ２ｐ、第３レンズ群Ｌ３中に樹脂レンズＬ３ｐを用いることで、ズームレンズの軽量化を図ると同時に、コストの削減を行っている。さらに、樹脂レンズＬ２ｐと樹脂レンズＬ３ｐの屈折力の符号を異ならせ、屈折力を適切に設定することにより、温度変化によるピントズレや球面収差ズレ、像面湾曲ズレ等を全ズーム領域で良好に補正している。つまり、正の屈折力を有する樹脂レンズＬ２ｐと負の屈折力を有する樹脂レンズＬ３ｐの組み合わせ、もしくは負の屈折力を有する樹脂レンズＬ２ｐと正の屈折力を有する樹脂レンズＬ３ｐの組み合わせが考えられる。
【００２５】
実施例１、３、５乃至７では、第２レンズ群Ｌ２において、物体側から３番目のレンズが正の屈折力の樹脂レンズＬ２ｐに相当する。また第３レンズ群Ｌ３において、物体側から２番目のレンズが負の屈折力の樹脂レンズＬ３ｐに相当する。実施例２及び４では、第２レンズ群Ｌ２において、物体側から１番目のレンズが負の屈折力の樹脂レンズＬ２ｐに相当する。また第３レンズ群Ｌ３において、物体側から３番目のレンズが正の屈折力の樹脂レンズＬ３ｐに相当する。各実施例において用いられる樹脂レンズの各面は非球面形状を有する。これにより、ズーミングに伴う球面収差や像面湾曲の変動を良好に補正している。
【００２６】
各実施例では樹脂レンズＬ２ｐと樹脂レンズＬ３ｐはそれぞれ物体側の面と像側の面が空気に接した単レンズとしている。樹脂レンズを単レンズとすることで、物体側も像側も非球面を容易に形成することができ、ズーム全域において球面収差や像面湾曲を良好に補正することが可能である。また、樹脂レンズを単レンズとすることで、独立して曲率半径を操作できる面が増え、温度変化による収差ズレ（球面収差ズレや像面湾曲のズレ）を良好にキャンセルさせることができる。ここで、樹脂レンズは、樹脂材料から形成されるレンズを意味している。
【００２７】
また、各実施例では、広角端から望遠端へのズーミングに際して各レンズ群が移動する。レンズ断面図中の矢印は、広角端から望遠端へのズーミングに際しての各レンズ群の移動軌跡を示している。
【００２８】
具体的には、実施例１乃至５に関しては、広角端から望遠端へのズーミングに際して、第１レンズ群Ｌ１は像側へ凸状の軌跡を描くように、第２レンズ群Ｌ２は像側へ凸状の軌跡を描くように、それぞれ移動する。第３レンズ群Ｌ３は物体側へ単調に、第４レンズ群Ｌ４は物体側へ凸状の軌跡を描くように、それぞれ移動する。
【００２９】
実施例６に関しては、広角端から望遠端へのズーミングに際して、第１レンズ群Ｌ１は像側へ凸状の軌跡を描くように、第２レンズ群Ｌ２は像側へ凸状の軌跡を描くように、それぞれ移動する。第３レンズ群Ｌ３は物体側へ単調に、第４レンズ群Ｌ４は物体側へ単調に、第５レンズ群Ｌ５は物体側へ凸状の軌跡を描くように、それぞれ移動する。
【００３０】
実施例７に関しては、広角端から望遠端へのズーミングに際して、第１レンズ群Ｌ１は物体側へ単調に、第２レンズ群Ｌ２は像側へ凸状の軌跡を描くように、それぞれ移動する。第３レンズ群Ｌ３は物体側へ単調に、第４レンズ群Ｌ４は物体側へ単調に、第５レンズ群Ｌ５は物体側へ凸状の軌跡を描くように、それぞれ移動する。
【００３１】
各実施例において、第１レンズ群Ｌ１及び第３レンズ群Ｌ３は、広角端に比べて望遠端でより物体側に位置している。これにより、広角端におけるレンズ全長を短くし、前玉（第１レンズ群Ｌ１）の小型化を図りつつ、高ズーム比なズームレンズが得られる。
【００３２】
また、各実施例において、最も像側に位置するレンズ群をフォーカスレンズ群としている。実施例１から５においては第４レンズ群Ｌ４を、実施例６及び７においては第５レンズ群Ｌ５をフォーカスレンズ群としている。
【００３３】
望遠端において無限遠物体から近距離物体へフォーカスを行う場合には実施例１乃至５では、レンズ断面図の矢印４ｃに示すように、第４レンズ群Ｌ４を物体側に繰り出すことによって行っている。レンズ断面図中の実線４ａと点線４ｂは各々、無限遠物体と近距離物体にフォーカスしているときの、広角端から望遠端へのズーミングに伴う像面変動を補正するための移動軌跡を示している。
【００３４】
実施例６及び７ではレンズ断面の矢印５ｃに示すように、第５レンズ群Ｌ５を物体側に繰り出すことによりフォーカシングを行う。レンズ断面図中の実線５ａと点線５ｂは各々、無限遠物体と近距離物体にフォーカスしているときの、広角端から望遠端へのズーミングに伴う像面変動を補正するための移動軌跡を示している。
【００３５】
ここで、実施例６においては、負の屈折力の第４レンズ群Ｌ４でフォーカシングを行っても良い。このとき、望遠端において無限遠物体から近距離物体へのフォーカシングを行う場合、第４レンズ群Ｌ４は像側へ移動する。
【００３６】
また、実施例７においては、正の屈折力の第４レンズ群Ｌ４でフォーカシングを行っても良い。このとき、望遠端において無限遠物体から近距離物体へのフォーカシングを行う場合、第４レンズ群Ｌ４は物体側へ移動する。
【００３７】
各実施例では、前記第２レンズ群に含まれる樹脂レンズの焦点距離をｆ２ｐ、前記第３レンズ群に含まれる樹脂レンズの焦点距離をｆ３ｐ、望遠端における全系の焦点距離をｆｔとしたとき、
０．１０＜｜ｆ３ｐ／ｆｔ｜＜０．２３    …      （１）
−２．４０＜ｆ２ｐ／ｆ３ｐ＜−０．３４  …      （２）
なる条件式を満足している。
【００３８】
条件式（１）は高ズーム比を実現しつつ、レンズ全長を短縮するために、第３レンズ群Ｌ３中の樹脂レンズＬ３ｐの屈折力を規定したものである。樹脂レンズＬ３ｐが正の屈折力を有する場合、条件式（１）の上限値を上回ると、樹脂レンズＬ３ｐの屈折力が弱くなり、高ズーム比を実現しようとすると第３レンズ群Ｌ３のレンズ枚数が増え、第３レンズ群の厚さが増す傾向にある。また樹脂レンズＬ３ｐが負の屈折力の場合に、条件式（１）の上限値を上回ると、色収差を十分に補正するために第３群レンズ群Ｌ３のレンズ枚数を増やすことが必要になる。その結果第３レンズ群Ｌ３の厚さが増し、レンズ全長の増大を招くため好ましくない。
【００３９】
条件式（１）の下限値を下回ると、樹脂レンズＬ３ｐの屈折力が強くなることで、温度変化によるピントや像面湾曲、球面収差の変動に対する敏感度が高くなり、ズーミングに伴う変動を抑制することが困難になる。また、樹脂レンズＬ３ｐの屈折力が強くなることで、レンズの曲率半径が小さくなり、レンズの厚さが増し、コバ厚が増大する。その結果、レンズ全長の増大を招くため好ましくない。
【００４０】
条件式（２）は、温度変化によるピントズレや像面湾曲、球面収差の変動を抑制するために、第２レンズ群中の樹脂レンズＬ２ｐと第３レンズ群中の樹脂レンズＬ３ｐの屈折力の比を規定したものである。樹脂レンズＬ２ｐと樹脂レンズＬ３ｐの屈折力の符号が異なることで、温度変化による収差の変動を全ズーム領域で良好に補正している。
【００４１】
条件式（２）の上限値を上回ると、樹脂レンズＬ３ｐの屈折力が強くなり、温度変化による収差の変動を補正することが困難になるため好ましくない。特に、第３レンズ群Ｌ３に用いられるレンズは、球面収差と像面湾曲に対する敏感度が高いため、温度変化によるズーム変動も大きくなる。条件式（２）の下限値を下回ると、樹脂レンズＬ２ｐの屈折力が強くなり、温度変化による収差の変動を補正することが困難になるため好ましくない。第２レンズ群Ｌ２中の樹脂レンズＬ２ｐに強い屈折力をもたせると、温度変化に伴うピントズレのズーム変動が大きくなるため、この変動を樹脂レンズＬ３ｐによってキャンセルすることは困難である。
【００４２】
各実施例では上記の如く、条件式（１）、（２）を満足するように各要素を適切に設定している。これにより、高ズーム比で、光軸方向に小型化され、全ズーム領域において高い光学性能を有するズームレンズを得ることができる。
【００４３】
なお、各実施例において、好ましくは条件式（１）、（２）の数値範囲を次のようにするのがよい。
０．１０＜｜ｆ３ｐ／ｆｔ｜＜０．２２    …      （１ａ）
−２．３０＜ｆ２ｐ／ｆ３ｐ＜−０．４０  …      （２ａ）
【００４４】
また、更に好ましくは条件式（１）、（２）の数値範囲を次の如く設定するのが良い。
０．１１≦｜ｆ３ｐ／ｆｔ｜＜０．２１    …      （１ｂ）
−２．２０＜ｆ２ｐ／ｆ３ｐ＜−０．４５  …      （２ｂ）
【００４５】
さらに、各実施例において、次の条件式のうち１つ以上を満足することがより好ましい。ここで、第２レンズ群Ｌ２の焦点距離をｆ２、第３レンズ群Ｌ３の焦点距離をｆ３とする。第２レンズ群Ｌ２に含まれる樹脂レンズのｄ線に対する屈折率をＮｄ２ｐ、アッベ数をνｄ２ｐ、第３レンズ群Ｌ３に含まれる樹脂レンズのｄ線に対する屈折率をＮｄ３ｐ、アッベ数をνｄ３ｐとする。第２レンズ群Ｌ２及び第３レンズ群Ｌ３に含まれる樹脂レンズの、２０℃における屈折率の温度係数をτ、線膨張係数をαとする。ここで、屈折率の温度係数τは、屈折率をｎ、温度をＴとしたとき、ｄｎ／ｄＴで表される。また、温度係数τは、温度範囲によって異なる値を有する。
【００４６】
このとき、
−３０．０＜ｆｔ／ｆ２＜−５．０                  …      （３）
３．０＜ｆｔ／ｆ３＜１５．０                      …      （４）
１．４５＜Ｎｄ２ｐ＜２．５９×１０−４×νｄ２ｐ２−２．６４×１０−２×νｄ２ｐ＋２．２１３                                        …      （５）
νｄ２ｐ＜６０．０                                …      （６）
１．４５＜Ｎｄ３ｐ＜２．５９×１０−４×νｄ３ｐ２−２．６４×１０−２×νｄ３ｐ＋２．２１３                                        …      （７）
νｄ３ｐ＜６０．０                                …      （８）
−５．０×１０−４／℃＜τ＜−５．０×１０−６／℃  …      （９）
１．０×１０−５／℃＜α＜１０．０×１０−５／℃    …      （１０）
１５．０＜νｄ２ｐ＜３５．０                      …      （１１）
１５．０＜νｄ３ｐ＜３５．０                      …      （１２）
なる条件式のうち１つ以上を満足するのがよい。
【００４７】
条件式（３）は、小型軽量で高変倍比を得つつも、温度変化に対する収差の変動を良好に補正するために、第２レンズ群Ｌ２の屈折力を適切に定めたものである。
【００４８】
条件式（３）の下限を超えると、第２レンズ群Ｌ２の負の屈折力が強くなり、ペッツバール和が大きくなり、像面の倒れが大きく発生し、補正が困難となる。また、第２レンズ群Ｌ２の樹脂レンズＬ２ｐが正の屈折力を有する場合、色収差の補正をするために、樹脂レンズＬ２ｐの正の屈折力を強くする必要が生じる。その結果、樹脂レンズＬ２ｐの曲率半径が小さくなり、レンズ厚が増大するため好ましくない。また、樹脂レンズＬ２ｐが負の屈折力を有する場合、第２レンズ群Ｌ２の屈折力を補うために、樹脂レンズＬ２ｐの屈折力を強くする必要が生じる。結果として、樹脂レンズＬ２ｐの曲率が強くなり、レンズ肉厚が増大し、レンズ全長が増大するため好ましくない。
【００４９】
条件式（３）の上限を超えると、第２レンズ群Ｌ２の負の屈折力が相対的に弱くなり、ズーミングに伴う第２レンズ群Ｌ２の移動量が増加し、さらに前玉径が増加する。結果として、ズームレンズの小型化や軽量化が困難となるため好ましくない。
【００５０】
条件式（４）は第３レンズ群Ｌ３の屈折力を適切に定めたものである。
【００５１】
条件式（４）の上限を超えると、第３レンズ群Ｌ３の正の屈折力が強くなり、ペッツバール和が大きくなり、像面の倒れが大きく発生し、補正が困難となる。また、第３レンズ群Ｌ３の樹脂レンズＬ３ｐが負の屈折力を有する場合、色収差の補正をするために、樹脂レンズＬ３ｐの負の屈折力を強くする必要が生じる。その結果、樹脂レンズＬ３ｐの曲率半径が小さくなり、レンズ厚が増大するため好ましくない。また、樹脂レンズＬ３ｐが正の屈折力を有する場合、第３レンズ群Ｌ３の屈折力を補うために、樹脂レンズＬ３ｐの正の屈折力を強くする必要が生じる。結果として、樹脂レンズＬ３ｐの曲率が強くなり、レンズ肉厚が増大し、レンズ全長が増大するため好ましくない。
【００５２】
条件式（４）の下限を超えると、第３レンズ群Ｌ３の屈折力が相対的に弱くなり、ズーミングに伴う第３レンズ群Ｌ３の移動量が増加し、レンズ全長が増大するため好ましくない。
【００５３】
条件式（５）の下限値を超えると、樹脂レンズＬ２ｐの曲率半径が小さくなり、レンズのコバ厚を確保するためにレンズ厚が増大する。その結果、レンズ全長が増大するため好ましくない。
【００５４】
条件式（５）の上限値を超えると、ペッツバール和を低減するために、樹脂レンズＬ２ｐとは異符号の屈折力を有するレンズの屈折率も大きくする必要がある。しかし、採用可能な硝材の屈折率の範囲では、像面湾曲の補正を十分に行うことができない。また、樹脂レンズＬ２ｐが負の屈折力の場合、条件式（５）の上限を超えると、アッべ数が小さくなる傾向にあり、十分な色収差の補正をすることが困難になるため好ましくない。
【００５５】
条件式（６）の上限値を超えると、色収差を補正するために、第２レンズ群Ｌ２を構成する樹脂レンズＬ２ｐ以外のレンズのアッベ数を大きくする必要が生じ、第２レンズ群Ｌ２を構成するレンズ全体の屈折率が小さくなる。その結果、各レンズの曲率半径が小さくなり、第２レンズ群Ｌ２の群厚が増大するため好ましくない。
【００５６】
条件式（７）の下限値を超えると、樹脂レンズＬ３ｐの曲率半径が小さくなり、レンズのコバ厚を確保するためにレンズ厚が増大する。その結果、レンズ全長が増大するため好ましくない。また、球面収差や像面湾曲が発生しやすい第３レンズ群Ｌ３において、曲率半径が小さい樹脂レンズを使用すると、温度変化に際してレンズ面の形状が大きく変化し、収差ズレが大きく発生するため好ましくない。
【００５７】
条件式（７）の上限値を超えると、ペッツバール和を低減するために、樹脂レンズＬ３ｐとは異符号の屈折力を有するレンズの屈折率も大きくする必要がある。しかし、採用可能な硝材の屈折率の範囲では、像面湾曲の補正を十分に行うことができない。また、樹脂レンズＬ３ｐが正の屈折力の場合、条件式（７）の上限値を超えると、アッベ数が小さくなる傾向にあり、十分な色収差の補正をすることが困難になるため好ましくない。
【００５８】
条件式（８）の上限値を超えると、色収差を補正するために、第３レンズ群Ｌ３を構成する樹脂レンズＬ３ｐ以外のレンズのアッベ数を大きくする必要が生じ、第３レンズ群Ｌ３を構成するレンズ全体の屈折率が小さくなる。その結果、各レンズの曲率半径が小さくなり、第３レンズ群Ｌ３の厚さが増大するため好ましくない。
【００５９】
樹脂レンズＬ２ｐとＬ３ｐの屈折率の温度係数τが、条件式（９）の範囲内に存在することにより、樹脂レンズの屈折率変化に伴って生じるピントズレや像面湾曲、球面収差のズレを全てのズーム領域で良好に補正することができる。
【００６０】
樹脂レンズＬ２ｐとＬ３ｐの線膨張係数αが、条件式（１０）の範囲内に存在することで、温度変化による樹脂レンズの膨張や収縮によって発生するピントズレや像面湾曲、球面収差のズレをズーム全域で良好に補正することができる。
【００６１】
条件式（１１）の下限値を超えると、採用可能な硝材のアッベ数の範囲を逸脱することになる。条件式（１１）の上限値を超えると、色収差の補正とペッツバール和の低減を両立させることが困難となるため、好ましくない。
【００６２】
条件式（１２）の下限値を超えると、色収差の補正とペッツバール和の低減を両立させることが困難となるため、好ましくない。条件式（１２）の上限値を超えると、望遠側の軸上色収差や倍率色収差の補正をすることが困難になるため好ましくない。
【００６３】
また、好ましくは条件式（３）〜（１２）の数値範囲を次の如く設定すると、各条件式がもたらす効果を最大限に得られる。
−２０．０＜ｆｔ／ｆ２＜−５．０                  …      （３ａ）
３．０＜ｆｔ／ｆ３＜１２．０                      …      （４ａ）
１．４９＜Ｎｄ２ｐ＜２．５９×１０−４×νｄ２ｐ２−２．６４×１０−２×νｄ２ｐ＋２．２１３                                        …      （５ａ）
νｄ２ｐ＜５８．０                                …      （６ａ）
１．４９＜Ｎｄ３ｐ＜２．５９×１０−４×νｄ３ｐ２−２．６４×１０−２×νｄ３ｐ＋２．２１３                                        …      （７ａ）
νｄ３ｐ＜５８．０                                …      （８ａ）
−２．５×１０−４／℃＜τ＜−６．０×１０−６／℃  …      （９ａ）
３．０×１０−５／℃＜α＜１０．０×１０−５／℃    …      （１０ａ）
１７．５＜νｄ２ｐ＜３３．０                      …      （１１ａ）
１７．５＜νｄ３ｐ＜３３．０                      …      （１２ａ）
【００６４】
なお、さらに好ましくは条件式（３）〜（１２）の数値範囲を次の如く設定するのがよい。
−１５．０＜ｆｔ／ｆ２＜−６．０                …      （３ｂ）
４．０＜ｆｔ／ｆ３＜１０．０                    …      （４ｂ）
１．５０＜Ｎｄ２ｐ＜２．５９×１０−４×νｄ２ｐ２−２．６４×１０−２×νｄ２ｐ＋２．２１３                                      …      （５ｂ）
νｄ２ｐ＜５７．０                              …      （６ｂ）
１．５０＜Ｎｄ３ｐ＜２．５９×１０−４×νｄ３ｐ２−２．６４×１０−２×νｄ３ｐ＋２．２１３                                        …      （７ｂ）
νｄ３ｐ＜５７．０                                …      （８ｂ）
−１．０×１０−４／℃＜τ＜−８．０×１０−６／℃  …      （９ｂ）
５．０×１０−５／℃＜α＜１０．０×１０−５／℃  …      （１０ｂ）
２０．０＜νｄ２ｐ＜３１．０                    …      （１１ｂ）
２０．０＜νｄ３ｐ＜３１．０                    …      （１２ｂ）
【００６５】
次に、本発明の実施例１〜７にそれぞれ対応する数値実施例１〜７を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００６６】
またｋを離心率Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
で表示される。但しＲは近軸曲率半径である。また「ｅ−Ｚ」の表示は「１０−Ｚ」を意味する。数値実施例において最も像側の２つの面は、フィルター、フェースプレート等の光学ブロックの面である。
【００６７】
各実施例において、バックフォーカス（ＢＦ）は、レンズ系の最も像側の面から近軸像面までの距離を、空気換算長により表したものである。レンズ全長は最も物体側の面から最終レンズ面までの距離にバックフォーカスを加えたものである。また、各数値実施例における上述した条件式との対応を表１に示す。
【００６８】
［数値実施例１］
単位 mm
面データ
面番号       r        d      nd         νd
1         57.203    1.00   1.85478    24.8
2         31.937    2.90   1.49700    81.5
3       7050.531    0.20
4         27.745    2.20   1.69680    55.5
5         95.755  (可変)
6         63.640    0.65   1.69680    55.5
7          7.016    3.90
8        -18.939    0.50   1.48749    70.2
9          8.130    0.20 
10*        7.244    1.90   1.63550    23.9  L2p
11*        20.224  (可変)
12*         5.035    1.50   1.58313    59.4
13*        10.904    0.58
14(絞り)    ∞       0.00
15*        14.053    0.70   1.60737    27.0  L3p
16*         5.364    0.60
17          7.564    1.40   1.51823    58.9
18       -490.347  (可変)
19         18.981    1.85   1.77250    49.6
20        -23.994    0.50   1.80518    25.4
21        151.560  (可変)
22          ∞       1.00   1.51633    64.1
23          ∞       0.79
像面        ∞
非球面データ
第10面
K =-1.70439e-001  A 4=-4.48101e-004  A 6= 9.86364e-006  A 8=-5.19319e-007  A10= 2.10602e-008  A12=-5.13815e-010
第11面
K =-1.30221e+001  A 4=-1.37531e-004  A 6= 1.15085e-006  A 8= 2.02231e-007  A10=-6.22681e-009  A12=-1.31485e-010
第12面
K = 4.00175e-001  A 4=-1.11147e-003  A 6=-9.23126e-006  A 8= 1.76880e-007  A10=-3.25275e-007  A12= 5.29989e-008
第13面
K =-2.28521e+001  A 4= 2.76524e-004  A 6= 3.56901e-005  A 8= 1.02905e-005  A10=-1.38856e-006  A12= 1.77055e-007
第15面
K = 2.26273e+000  A 4= 6.91787e-004  A 6= 1.16931e-004  A 8=-1.38331e-005  A10= 5.39652e-007  A12= 4.14911e-008
第16面
K = 5.52854e-001  A 4= 2.52484e-003  A 6=-6.59302e-005  A 8=-2.37895e-006  A10=-1.08694e-006  A12= 8.35014e-008
各種データ
ズーム比     15.57
焦点距離       5.16    27.77    80.25
Fナンバー      3.20     4.70     5.70
半画角          33.48     7.94     2.76
像高           3.41     3.88     3.88
レンズ全長    58.02    67.00    81.86
BF             8.42       18.21  8.35
d 5            0.26    18.88    28.84
d11           21.41     3.22     0.12
d18            7.86     6.62    24.49
d21            6.12    15.91     6.04
ズームレンズ群データ
群  始面    焦点距離  レンズ構成長  前側主点位置  後側主点位置
1    1      46.34         6.30         1.52         -2.46
2    6      -7.81         7.15         1.48         -4.02
3   12      14.46         4.78        -0.27         -3.85
4   19      29.10         2.35        -0.25         -1.55
単レンズデータ
レンズ  始面  焦点距離
1       1    -86.16
2       2     64.54
3       4     55.33
4       6    -11.37
5       8    -11.60
6      10     16.81
7      12     14.66
8      15    -14.73
9      17     14.39
10      19     13.98
11      20    -25.69
【００６９】
［数値実施例２］
単位 mm
面データ
面番号       r        d      nd         νd
1         36.769    0.60   1.85478    24.8
2         24.756    2.65   1.49700    81.5
3        113.872    0.20
4         33.575    1.90   1.69680    55.5
5        199.347  (可変)
6*       -53.794    0.60   1.53110    55.9  L2p
7*         6.374    4.39
8        -40.478    0.50   1.72916    54.7
9         16.817    0.20
10         10.458    1.15   1.92286    18.9
11         18.086  (可変)
12*         4.316    1.10   1.55332    71.7
13          8.995    0.50
14(絞り)    ∞       0.00
15          6.580    0.70   1.80000    29.8
16          3.910    0.40
17*         7.879    1.10   1.53110    55.9  L3p
18*      -287.147  (可変)
19         24.710    1.30   1.77250    49.6
20        -15.363    0.30   1.80518    25.4
21       -151.119  (可変)
22          ∞       1.00   1.51633    64.1
23          ∞       3.49
像面        ∞
非球面データ
第6面
K =-2.37254e+002  A 4= 9.89982e-005  A 6=-3.45844e-007  A 8=-1.61877e-008  A10= 6.42112e-011  A12= 7.73097e-013
第7面
K =-9.94846e-003  A 4= 3.05312e-004  A 6=-3.94194e-006  A 8= 3.79377e-007  A10= 7.12792e-010  A12=-2.08402e-010
第12面
K =-1.19416e-001  A 4=-3.75959e-004  A 6= 1.11166e-005  A 8=-2.50759e-006  A10= 3.68639e-007  A12= 1.92398e-008
第17面
K =-7.82984e-001  A 4= 5.96118e-004  A 6=-1.35936e-004  A 8= 9.40146e-006  A10=-1.46695e-006  A12=-1.29864e-006
第18面
K =-1.24244e+005  A 4=-2.11789e-004  A 6= 2.58967e-006  A 8= 7.82902e-006  A10=-8.76763e-006  A12= 5.50743e-008
各種データ
ズーム比     15.95
焦点距離       4.94    27.92    78.80
Fナンバー      3.51     5.15     6.08
半画角          34.61     7.90     2.82
像高           3.41     3.88     3.88
レンズ全長    55.38    64.35    79.21
BF             10.26      19.35       9.66
d 5            0.65    19.28    29.23
d11           22.00     3.81     0.70
d18            5.39     4.85    22.54
d21            5.25    14.33     4.65
ズームレンズ群データ
群  始面    焦点距離  レンズ構成長  前側主点位置  後側主点位置
1    1      46.34         5.35         1.03         -2.41
2    6      -7.81         6.84         1.33         -4.03
3   12      14.46         3.80        -1.05         -3.62
4   19      29.10         1.60         0.09         -0.81
単レンズデータ
レンズ  始面  焦点距離
1       1    -90.73
2       2     63.02
3       4     57.67
4       6    -10.69
5       8    -16.23
6      10     25.06
7      12     13.83
8      15    -13.63
9      17     14.46
10      19     12.44
11      20    -21.26
【００７０】
［数値実施例３］
単位 mm
面データ
面番号       r        d      nd         νd
1         47.548    1.00   1.85478    24.8
2         31.684    2.90   1.49700    81.5
3        709.473    0.20
4         27.560    2.00   1.69680    55.5
5         71.116  (可変)
6        116.559    0.65   1.69680    55.5
7          6.113    3.90
8         89.535    0.50   1.48749    70.2
9          7.264    0.20
10*         7.322    2.00   1.63550    23.9  L2p
11*        16.651  (可変)
12*         4.297    1.50   1.58313    59.4
13*         9.871    0.58
14(絞り)    ∞       0.00
15*        21.242    0.70   1.60737    27.0  L3p
16*         4.309    0.60
17          5.268    1.40   1.51823    58.9
18         65.131  (可変)
19         34.862    1.85   1.77250    49.6
20        439.314    0.50   1.80518    25.4
21        -64.421  (可変)
22          ∞       1.00   1.51633    64.1
23          ∞       0.79
像面        ∞
非球面データ
第10面
K =-2.56117e-001  A 4=-2.25456e-004  A 6= 1.02120e-005  A 8=-3.39102e-007  A10= 1.24412e-008  A12=-2.48564e-010
第11面
K =-1.81471e+001  A 4= 3.63649e-005  A 6=-9.77458e-006  A 8= 3.13539e-007  A10=-6.99280e-009  A12=-9.45264e-011
第12面
K = 5.35730e-001  A 4=-1.09921e-003  A 6=-4.57317e-005  A 8=-1.37667e-006  A10= 2.94977e-007  A12= 1.41087e-008
第13面
K =-1.06650e+001  A 4= 3.80632e-004  A 6= 2.45994e-004  A 8= 1.72528e-005  A10=-1.26302e-006  A12= 1.29932e-007
第15面
K = 4.49208e+000  A 4= 1.87248e-003  A 6= 2.04984e-004  A 8=-1.59008e-005  A10=-1.23179e-006  A12=-7.04818e-008
第16面
K = 1.35013e+000  A 4= 2.54657e-003  A 6=-1.68711e-004  A 8=-3.20779e-005  A10=-4.08649e-006  A12=-3.78599e-007
各種データ
ズーム比     15.89
焦点距離       5.17    27.90    82.14
Fナンバー      3.20     4.75     5.83
半画角          33.41     7.91     2.70
像高           3.41     3.88     3.88
レンズ全長    57.68    66.66    81.52
BF             9.12       18.88       8.45
d 5            0.43    19.06    29.02
d11           21.40     3.20     0.10
d18            6.76     5.55    23.99
d21            6.82    16.57     6.14
ズームレンズ群データ
群  始面    焦点距離  レンズ構成長  前側主点位置  後側主点位置
1    1      46.34         6.10         1.06         -2.80
2    6      -7.81         7.25         1.07         -4.48
3   12      14.46         4.78        -0.72         -4.23
4   19      29.10         2.35         0.48         -0.85
単レンズデータ
レンズ  始面  焦点距離
1       1   -114.42
2       2     66.64
3       4     63.38
4       6     -9.28
5       8    -16.25
6      10     18.98
7      12     11.88
8      15     -9.04
9      17     10.97
10      19     48.92
11      20     69.81
【００７１】
［数値実施例４］
単位 mm
面データ
面番号       r        d      nd         νd
1         42.869    0.60   1.85478    24.8
2         26.442    2.95   1.49700    81.5
3        160.460    0.20
4         30.623    2.10   1.69680    55.5
5        158.033  (可変)
6*       -28.071    0.60   1.53110    55.9  L2p
7*         6.124    4.39
8        -67.086    0.50   1.72916    54.7
9         21.276    0.20
10         10.719    1.15   1.92286    18.9
11         16.641  (可変)
12*         3.665    1.10   1.55332    71.7
13          4.258    0.80
14(絞り)    ∞       0.00
15          5.816    0.70   1.80000    29.8
16          3.786    0.40
17*         5.125    1.10   1.53110    55.9  L3p
18*      -315.545  (可変)
19         29.872    1.65   1.77250    49.6
20         -8.437    0.30   1.80518    25.4
21        -63.726  (可変)
22          ∞       1.00   1.51633    64.1
23          ∞       3.26
像面        ∞
非球面データ
第6面
K =-4.68248e+001  A 4= 9.60704e-005  A 6= 1.28596e-006  A 8=-3.56499e-008  A10= 1.19549e-010  A12= 6.58136e-013
第7面
K =-4.40854e-001  A 4= 4.30239e-004  A 6= 4.76441e-006  A 8= 2.85714e-007  A10= 2.06561e-008  A12=-6.12536e-010
第12面
K =-2.54296e-001  A 4=-1.22040e-004  A 6= 3.42432e-005  A 8= 1.02144e-006  A10=-1.09929e-007  A12= 2.40967e-008
第17面
K =-3.65424e-001  A 4= 1.43352e-003  A 6=-1.16264e-004  A 8= 7.55215e-006  A10=-2.86315e-006  A12=-9.08714e-007
第18面
K =-7.53220e+004  A 4= 7.97250e-004  A 6=-2.75252e-005  A 8= 1.23320e-005  A10=-8.68427e-006  A12=-1.26292e-007
各種データ
ズーム比     16.79
焦点距離       4.73    25.51    79.39
Fナンバー     3.29     4.68     6.08
半画角         35.79    8.64     2.79
像高           3.41     3.88     3.88
レンズ全長     56.59    65.57    80.43
BF             10.03    17.69    6.78
d 5            0.95    19.58    29.53
d11           22.00     3.81     0.70
d18            5.39     6.27    25.18
d21            5.25    12.92     2.01
ズームレンズ群データ
群  始面    焦点距離  レンズ構成長  前側主点位置  後側主点位置
1    1      46.34         5.85         1.35         -2.40
2    6      -7.81         6.84         0.98         -4.44
3   12      14.46         4.10        -0.33         -3.43
4   19      29.10         1.95         0.30         -0.81
単レンズデータ
レンズ  始面  焦点距離
1       1    -82.11
2       2     63.24
3       4     54.14
4       6     -9.41
5       8    -22.10
6      10     29.86
7      12     28.63
8      15    -16.01
9      17      9.51
10      19      8.68
11      20    -12.11
【００７２】
［数値実施例５］
単位 mm
面データ
面番号       r        d      nd         νd
1         13.359    0.50   1.92286    18.9
2         10.149    2.68   1.78800    47.4
3         59.994  (可変)
4         53.592    0.30   1.77250    49.6
5          4.719    2.42
6        -11.137    0.30   1.77250    49.6
7         19.262    0.05
8*         9.131    1.26   1.63550    23.9  L2p
9*       -32.311  (可変)
10*         4.091    1.36   1.69350    53.2
11        -21.689    0.18
12(絞り)    ∞       0.14
13*        12.147    0.31   1.63550    23.9  L3p
14*         3.497  (可変)
15         12.888    1.58   1.60311    60.6
16      -2000.000  (可変)
17          ∞       1.00   1.51633    64.1
18          ∞       2.02
像面        ∞
非球面データ
第8面
K =-3.31479e-002  A 4=-1.01862e-004  A 6= 1.20706e-005  A 8=-7.98620e-007
第9面
K = 4.32897e+000  A 4= 6.11365e-005  A 6= 1.21353e-005  A 8=-1.40008e-007  A10=-4.54412e-008  A12= 1.35595e-009
第10面
K =-1.33060e+000  A 4= 1.36298e-003  A 6=-9.75800e-006  A 8=-1.11354e-005
第13面
K =-6.67609e-003  A 4=-7.05452e-004  A 6= 2.25273e-004  A 8= 1.08719e-005  A10= 6.84642e-006  A12=-9.44432e-007
第14面
K =-2.98010e-001  A 4= 1.93189e-003  A 6= 3.72628e-004  A 8= 4.77425e-005
各種データ
ズーム比      7.74
焦点距離       5.15    12.20    39.85
Fナンバー     3.07     3.77    7.05
半画角        32.45    17.46    5.55
像高           3.27     3.84     3.88
レンズ全長    35.21    36.15    50.00
BF            6.42     8.49     5.74
d 3            0.35     4.73     7.67
d 9           12.33     5.17     0.40
d14            5.55     7.20    25.64
d16            2.88     4.96     2.20
ズームレンズ群データ
群  始面    焦点距離  レンズ構成長  前側主点位置  後側主点位置
1    1      22.61         3.18        -0.60         -2.30
2    4      -5.88         4.33         0.28         -3.35
3   10       9.83         1.99        -1.47         -2.40
4   15      21.24         1.58         0.01         -0.98
単レンズデータ
レンズ  始面  焦点距離
1       1    -49.46
2       2     15.14
3       4     -6.72
4       6     -9.10
5       8     11.34
6      10      5.07
7      13     -7.84
8      15     21.24
【００７３】
［数値実施例６］
単位 mm
面データ
面番号       r        d      nd         νd
1         35.064    0.78   1.84666    23.9
2         23.171    3.20   1.49700    81.5
3       -185.480    0.13
4         32.338    2.02   1.71300    53.9
5         93.649  (可変)
6       -143.439    0.42   1.80400    46.6
7          5.512    2.88
8        -24.674    0.40   1.72916    54.7
9         10.754    0.10
10*         9.284    2.05   1.63550    23.9  L2p
11*       -41.336  (可変)
12*         6.274    1.47   1.61405    55.0
13*        38.359    0.73
14(絞り)    ∞       0.72
15          6.383    0.50   1.63550    23.9  L3p
16          3.896    0.73
17*         7.827    1.22   1.49700    81.5
18*       -95.885    0.20
19          ∞     (可変)
20        113.860    0.40   1.88300    40.8
21         18.066  (可変)
22         14.478    2.54   1.77250    49.6
23        -39.691    0.50   1.92286    18.9
24       -165.955  (可変)
25          ∞       1.00   1.51633    64.1
26          ∞       1.20
像面        ∞   
非球面データ
第10面
K = 4.35075e-001  A 4=-2.37954e-004  A 6=-5.85961e-006  A 8=-1.90896e-007  A10= 1.43676e-008
第11面
K =-3.14496e+001  A 4=-3.74365e-004  A 6=-9.84448e-006  A 8= 2.76983e-007  A10=-1.49358e-009
第12面
K =-1.01700e+000  A 4=-4.14614e-004  A 6=-1.54346e-005  A 8=-1.09721e-006  A10= 1.05705e-007
第13面
K =-2.84295e+001  A 4=-6.91609e-004  A 6=-2.55995e-005  A 8= 1.85760e-006  A10= 4.19133e-008
第17面
K = 1.36129e-001  A 4= 1.73512e-003  A 6=-2.95783e-005  A 8= 2.30519e-005  A10= 4.91735e-007
第18面
K =-3.02608e+003  A 4= 1.05336e-003  A 6= 1.98544e-005  A 8= 1.00614e-005  A10= 7.68646e-007
各種データ
ズーム比     19.91
焦点距離        4.53    17.67    90.10
Fナンバー      3.10     4.96     7.46
半画角         36.36    12.37     2.46
像高            3.33     3.88     3.88
レンズ全長     50.74    63.10    77.35
BF             9.04    12.48     6.27
d 5            0.58    12.23    24.21
d11           16.89     5.54     0.10
d19            1.61     6.07    10.86
d21            2.14     6.31    15.43
d24            6.33     9.76     3.56
ズームレンズ群データ
群  始面    焦点距離  レンズ構成長  前側主点位置  後側主点位置
1    1      38.33         6.13         1.19         -2.70
2    6      -6.09         5.85         0.25         -4.58
3   12      11.16         5.57         0.45         -4.22
4   20     -24.37         0.40         0.25          0.04
5   22      18.21         3.04         0.07         -1.63
単レンズデータ
レンズ  始面  焦点距離
1       1    -83.19
2       2     41.66
3       4     68.34
4       6     -6.59
5       8    -10.22
6      10     12.12
7      12     12.01
8      15    -17.07
9      17     14.62
10      20    -24.37
11      22     14.02
12      23    -56.64
【００７４】
［数値実施例７］
単位 mm
面データ
面番号       r        d      nd         νd
1         63.324    0.65   1.85146    24.0
2         37.266    3.00   1.49700    81.5
3      -1428.064    0.20
4         33.602    2.23   1.69680    55.5
5        107.379  (可変)
6         55.404    0.65   1.69680    55.5
7          6.552    4.20
8        -22.845    0.50   1.48749    70.2
9          8.323    0.20
10*         7.382    2.10   1.63550    23.9  L2p
11*        19.349  (可変) 
12*         5.008    1.50   1.58313    59.4
13*        11.173    0.58
14(絞り)    ∞       0.00
15*        13.416    0.70   1.60737    27.0  L3p
16*         5.444    0.60
17          7.508    1.40   1.51823    58.9
18         31.719    0.00
19          ∞     (可変)
20       -607.242    1.00   1.60000    60.0
21        -44.511  (可変)
22         20.120    1.85   1.77250    49.6
23        -19.678    0.50   1.80518    25.4
24        742.217  (可変)
25          ∞       1.00   1.51633    64.1
26          ∞       0.50
像面        ∞
非球面データ
第10面
K =-1.44460e-001  A 4=-4.30587e-004  A 6= 1.02379e-005  A 8=-4.16173e-007  A10= 1.81788e-008  A12=-4.33929e-010
第11面
K =-1.10632e+001  A 4=-1.73479e-004  A 6= 1.47628e-006  A 8= 2.48821e-007  A10=-5.79043e-009  A12=-1.18708e-010
第12面
K = 4.35934e-001  A 4=-9.99054e-004  A 6=-9.95838e-006  A 8=-2.84094e-007  A10=-3.38893e-007  A12= 5.29450e-008
第13面
K =-2.33257e+001  A 4= 2.61657e-004  A 6= 2.64226e-005  A 8= 9.10594e-006  A10=-1.45053e-006  A12= 1.75141e-007
第15面
K = 1.46252e+000  A 4= 5.89980e-004  A 6= 9.99875e-005  A 8=-1.41772e-005  A10= 4.51780e-007  A12= 4.21404e-008
第16面
K = 6.96492e-001  A 4= 2.53457e-003  A 6=-6.06921e-005  A 8=-1.90801e-006  A10=-1.13544e-006  A12= 8.28676e-008
各種データ
ズーム比     20.82
広角     中間     望遠
焦点距離       5.04    29.32   104.99
Fナンバー     3.22     4.36     6.36
半画角        34.06     7.53     2.11
像高           3.41     3.88     3.88
レンズ全長    58.25    75.07    93.97
BF            9.31    19.28     5.96
d 5            0.24    24.62    36.21
d11           19.95     2.59     0.10
d19            5.63     4.50     1.13
d21            2.12     3.08    29.58
d24            7.29    17.26     3.94
ズームレンズ群データ
群  始面    焦点距離  レンズ構成長  前側主点位置  後側主点位置
1    1      53.80         6.08         1.39         -2.48
2    6      -7.59         7.65         1.49         -4.34
3   12      16.20         4.78        -1.18         -4.50
4   20      80.00         1.00         0.67          0.05
5   22      27.96         2.35        -0.09         -1.41
単レンズデータ
レンズ  始面  焦点距離
1       1   -107.60
2       2     73.13
3       4     69.33
4       6    -10.72
5       8    -12.45
6      10     17.58
7      12     14.28
8      15    -15.60
9      17     18.61
10      20     80.00
11      22     13.14
12      23    -23.80
【００７５】
【表１】
2014222336.tif 000003
【００７６】
次に、本発明のズームレンズを撮影光学系として用いたデジタルスチルカメラの実施例について図１５を用いて説明する。図１５において、２０はカメラ本体、２１は実施例１〜７で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、高ズーム比で、光軸方向に小型化され、全ズーム領域において高い光学性能を有する撮像装置が得られる。
【符号の説明】
【００７７】
Ｌ１  第１レンズ群
Ｌ２  第２レンズ群
Ｌ３  第３レンズ群
Ｌ４  第４レンズ群
Ｌ５  第５レンズ群
ＰＬ  樹脂レンズ
ＳＰ  開口絞り
ＦＰ  フレアカット絞り
Ｇ  光学フィルター
ＩＰ  像面
ｄ  ｄ線
ｇ  ｇ線
ΔＳ  サジタル像面
ΔＭ  メリディオナル像面
ω  半画角
Ｆｎｏ  Ｆナンバー
【図１】
2014222336.tif 000004
【図２】
2014222336.tif 000005
【図３】
2014222336.tif 000006
【図４】
2014222336.tif 000007
【図５】
2014222336.tif 000008
【図６】
2014222336.tif 000009
【図７】
2014222336.tif 000010
【図８】
2014222336.tif 000011
【図９】
2014222336.tif 000012
【図１０】
2014222336.tif 000013
【図１１】
2014222336.tif 000014
【図１２】
2014222336.tif 000015
【図１３】
2014222336.tif 000016
【図１４】
2014222336.tif 000017
【図１５】
2014222336.tif 000018